(57)【特許請求の範囲】
【請求項１】
行列状に配列された液晶セルと、列単位の前記液晶セルの各一方の電極と各列の垂直信号線との間に接続されたスイッチング素子とを有し、隣り合う垂直信号線を１水平走査期間ごとに逆相の画像信号で駆動する液晶ディスプレイの駆動装置であって、
各列の垂直信号線の各々に接続され、画像信号の水平ブランキング期間に他の垂直信号線から電荷を取り込む手段
を備えたことを特徴とする液晶ディスプレイの駆動装置。
【請求項２】
前記電荷を取り込む手段は、隣り合う２本の垂直信号線間に接続され、画像信号の水平ブランキング期間に導通状態となる複数個のスイッチ手段である
ことを特徴とする請求項１記載の液晶ディスプレイの駆動装置。
【請求項３】
前記電荷を取り込む手段は、一端が垂直信号線の各々に接続されかつ他端が共通に接続され、画像信号の水平ブランキング期間に導通状態となる複数個のスイッチ手段である
ことを特徴とする請求項１記載の液晶ディスプレイの駆動装置。
【請求項４】
前記スイッチング素子は薄膜トランジスタである
ことを特徴とする請求項１記載の液晶ディスプレイの駆動装置。
【発明の詳細な説明】
【０００１】
【発明の属する技術分野】
本発明は、液晶ディスプレイの駆動装置に関し、特にいわゆるフリッカフリー駆動を行うＴＦＴ（ｔｈｉｎ  ｆｉｌｍ  ｔｒａｎｓｉｓｔｏｒ；薄膜トランジスタ）方式液晶ディスプレイの駆動装置に関する。
【０００２】
【従来の技術】
ＴＦＴ方式液晶テレビのフリッカを軽減するフリッカフリー駆動の一手法として、１Ｈ（１水平走査期間）反転駆動が知られている。この１Ｈ反転駆動を行うＴＦＴ方式液晶テレビの従来例を図５に示す。図５において、液晶セル１０１が行列状に多数配列されており、列単位の液晶セル１０１の各一方の電極と複数本の垂直信号線１０２との間にはＴＦＴ１０３が接続されている。液晶セル１０１の他方の電極には、ターゲット電圧Ｖｔが共通に印加される。
【０００３】
行単位の液晶セル１０１の各ゲートには、一端が垂直走査回路１０４の各行の出力端に接続された垂直選択線１０５が接続されている。奇数列▲１▼，▲３▼，……の垂直信号線１０２の各一端と水平信号線１０６との間、および偶数列▲２▼，▲４▼，……の垂直信号線１０２の各一端と水平信号線１０７との間には水平選択スイッチ１０８が接続されている。水平選択スイッチ１０８の各ゲートは、水平走査回路１０９の各列の出力端に接続されている。以上により、ＴＦＴ液晶パネル１００が構成されている。
【０００４】
一方、デジタル画像信号処理回路１１０から出力されるデジタル画像信号は、Ｄ／Ａ変換器１１１でアナログ画像信号に変換され、交流駆動ビデオ増幅器１１２に供給される。この交流駆動ビデオ増幅器１１２は、トランジスタＱ１０１〜Ｑ１０３、抵抗Ｒ１０１〜Ｒ１０３および電流源Ｉ１０１，Ｉ１０２から構成され、互いに逆相のアナログ画像信号Ｈ，Ｌを出力する。
【０００５】
交流駆動ビデオ増幅器１１２から出力される一方のアナログ画像信号Ｈは、アナログスイッチ１１３のａ入力およびアナログスイッチ１１４のｂ入力となる。また、他方のアナログ画像信号Ｌは、アナログスイッチ１１３のｂ入力およびアナログスイッチ１１４のａ入力となる。これらアナログスイッチ１１３，１１４は、１Ｈごとに反転する選択パルスφｃによって切替え制御され、水平信号線１０６，１０７に対してアナログ画像信号Ｈ，Ｌを１Ｈごとに交互に与える。
【０００６】
次に、上記構成の従来装置の動作について、図６のタイミング波形図を参照しつつ説明する。
【０００７】
選択パルスφｃは、図６のタイミング波形図から明らかなように、１Ｈごとに反転するパルスであり、この選択パルスφｃによってアナログスイッチ１１３，１１４が１Ｈごとに切替え制御される。この切替え制御により、水平信号線１０６，１０７に対して、互いに逆相のアナログ画像信号Ｈ，Ｌが１Ｈごとに交互に与えられることになる。
【０００８】
そして、水平走査回路１０９から各列の水平走査パルスφ１，φ２，φ３，……が順に出力されることにより、各列の水平選択スイッチ１０８が順にオン状態となる。これにより、ＴＦＴ液晶パネル１００の各列▲１▼，▲２▼，……の垂直信号線１０２に与えられる画像信号として、共通ターゲット電圧Ｖｔに対して１Ｈごとに正極性Ｖｔ＋Ｖｓ、負極性Ｖｔ−Ｖｓが交互に印加される。ここに、Ｖｓは信号電圧である。
【０００９】
このように、ＴＦＴ液晶パネル１００の各列▲１▼，▲２▼，……の垂直信号線１０２に対して、１Ｈごとに正極性Ｖｔ＋Ｖｓおよび負極性Ｖｔ−Ｖｓを交互に与えることにより、画素列ごとに逆方向のフリッカ、即ち１／６０秒位相のずれたフリッカが発生することになるため、視感特性の積分効果によってフリッカを軽減できるのである。
【００１０】
【発明が解決しようとする課題】
しかしながら、上述したように、ＴＦＴ液晶パネル１００の各列▲１▼，▲２▼，……の垂直信号線１０２を、１Ｈごとに正極性Ｖｔ＋Ｖｓおよび負極性Ｖｔ−Ｖｓのアナログ画像信号で交互に駆動する場合、ある列の垂直信号線１０２が例えば正極性Ｖｔ＋Ｖｓから負極性Ｖｔ−Ｖｓへ遷移する際に、正極性Ｖｔ＋Ｖｓに相当する電荷量を一度グランドに捨て、当該垂直信号線１２の電位をグランドレベルにしてから、再度負極性Ｖｔ−Ｖｓに相当する電荷量を交流駆動ビデオ増幅器１１２側から供給することになるため、垂直信号線１０２を駆動する電力が大きいという問題があった。
【００１１】
本発明は、上記課題に鑑みてなされたものであり、その目的とするところは、垂直信号線の駆動電力を低減し、低電力化を可能とした液晶ディスプレイの駆動装置を提供することにある。
【００１２】
【課題を解決するための手段】
上記目的を達成するために、本発明では、行列状に配列された液晶セルと、列単位の液晶セルの各一方の電極と各列の垂直信号線との間に接続されたスイッチング素子とを有し、隣り合う垂直信号線を１Ｈごとに逆相の画像信号で駆動する液晶ディスプレイの駆動装置において、各列の垂直信号線の各々に接続され、画像信号の水平ブランキング期間に他の垂直信号線から電荷を取り込む手段を設けた構成を採っている。
【００１３】
上記構成の液晶ディスプレイの駆動装置において、隣り合う垂直信号線を１Ｈごとに逆相の画像信号で駆動する際に、ある垂直信号線においてグランドに捨てるべき電荷が、垂直信号線の各々に接続された手段によって、画像信号の水平ブランキング期間に他の垂直信号線へ取り込まれ、その垂直信号線で再利用されることで、各垂直信号線がほぼターゲット電位となる。これにより、次の駆動タイミングでは、その垂直信号線に対して不足分の電荷だけを供給すれば良いため、垂直信号線の駆動電力が少なくて済む。
【００１４】
【発明の実施の形態】
以下、本発明の実施の形態について図面を参照しつつ詳細に説明する。
【００１５】
図１は、本発明の一実施形態を示す構成図である。図１において、液晶セル１１が行列状に多数配列されており、列単位の液晶セル１１の各一方の電極と各列の垂直信号線１２の間には、ＴＦＴ１３がスイッチング素子として接続されている。液晶セル１１の他方の電極には、ターゲット電圧Ｖｔが共通に印加される。行単位の液晶セル１１の各ゲートには、一端が垂直走査回路１４の各行の出力端に接続された垂直選択線１５が接続されている。隣り合う２本ずつの垂直信号線１２，１２間には、電荷再利用スイッチ１６が接続されている。
【００１６】
この電荷再利用スイッチ１６の制御入力端であるゲートには、画像信号の水平ブランキング期間に“Ｈ”レベルとなる制御パルスφＨが印加される。また、奇数列▲１▼，▲３▼，……の垂直信号線１２の各一端と水平信号線１７との間、および偶数列▲２▼，▲４▼，……の垂直信号線１２の各一端と水平信号線１８との間には水平選択スイッチ１９が接続されている。水平選択スイッチ１９の各ゲートは、水平走査回路２０の各列の出力端に接続されている。以上により、点順次駆動方式のＴＦＴ液晶パネル１０が構成されている。
【００１７】
一方、デジタル画像信号処理回路２１から出力されるデジタル画像信号は、Ｄ／Ａ変換器２２でアナログ画像信号に変換され、交流駆動ビデオ増幅器２３に供給される。この交流駆動ビデオ増幅器２３は、以下に詳述する回路構成となっており、これによりＤ／Ａ変換器２２からのアナログ画像信号を互いに逆相のアナログ画像信号Ｈ，Ｌとして出力する。
【００１８】
すなわち、Ｄ／Ａ変換器２２からのアナログ画像信号をベース入力とするトランジスタＱ１１と、このトランジスタＱ１１のベースと電源Ｖｃｃとの間に接続された抵抗Ｒ１１と、トランジスタＱ１１のコレクタと電源Ｖｐｐ間およびエミッタとグランド間にそれぞれ接続された抵抗Ｒ１２，Ｒ１３と、ベースがトランジスタＱ１１のコレクタに、コレクタが電源Ｖｐｐにそれぞれ接続されたトランジスタＱ１２と、ベースがトランジスタＱ１１のエミッタに、コレクタが電源Ｖｐｐにそれぞれ接続されたトランジスタＱ１３と、トランジスタＱ１２，Ｑ１３の各エミッタとグランド間にそれぞれ接続された電流源Ｉ１１，Ｉ１２とから構成されている。
【００１９】
そして、トランジスタＱ１２のエミッタ出力が一方のアナログ画像信号Ｈとして、トランジスタＱ１３のエミッタ出力が他方のアナログ画像信号Ｌとして導出される。一方のアナログ画像信号Ｈは、アナログスイッチ２４のａ入力およびアナログスイッチ２５のｂ入力となる。また、他方のアナログ画像信号Ｌは、アナログスイッチ２４のｂ入力およびアナログスイッチ２５のａ入力となる。これらアナログスイッチ２４，２５は、１Ｈごとに反転する選択パルスφｃによって切替え制御され、水平信号線１７，１８に対してアナログ画像信号Ｈ，Ｌを１Ｈごとに交互に与える。
【００２０】
次に、上記一実施形態に係る装置の動作について、図２のタイミング波形図を参照しつつ説明する。
【００２１】
先ず、奇数列▲１▼，▲３▼，……の垂直信号線１２には負極性Ｖｔ−Ｖｓの画像信号Ｌが、偶数列▲２▼，▲４▼，……の垂直信号線１２には正極性Ｖｔ＋Ｖｓの画像信号Ｈがそれぞれ与えられている状態から、水平ブランキング期間に入ると、１Ｈ期間に亘って“Ｈ”レベルとなる制御パルスφＨが発生される。そして、この制御パルスφＨがゲートに印加されることによって電荷再利用スイッチ１６がオン（導通）状態となる。
【００２２】
電荷再利用スイッチ１６がオン状態となることにより、隣り合う２本ずつの垂直信号線１２，１２間が短絡される。このとき、この電荷再利用スイッチ１６を介して電位の高い偶数列▲２▼，▲４▼，……の垂直信号線１２から電位の低い奇数列▲１▼，▲３▼，……の垂直信号線１２へ電荷が取り込まれ、この取り込まれた電荷は奇数列▲１▼，▲３▼，……の垂直信号線１２の電位を上げるべく再利用される。その結果、奇数列▲１▼，▲３▼，……の垂直信号線１２および偶数列▲２▼，▲４▼，……の垂直信号線１２の各電位は、負極性Ｖｔ−Ｖｓおよび正極性Ｖｔ＋Ｖｓの各電位の中間、即ちターゲット電位Ｖｔとなる。
【００２３】
一方、選択パルスφｃは、図２のタイミング波形図から明らかなように、１Ｈごとに反転するパルスであり、この選択パルスφｃによってアナログスイッチ２４，２５が１Ｈごとに切替え制御される。この切替え制御により、水平信号線１７，１８に対して、互いに逆相のアナログ画像信号Ｈ，Ｌが１Ｈごとに交互に与えられることになる。
【００２４】
そして、水平ブランキング期間が終了した後、水平走査回路２０から各列の水平走査パルスφ１，φ２，φ３，……が順に出力されることにより、各列の水平選択スイッチ１９が順にオン状態となる。これにより、ＴＦＴ液晶パネル１０の各列▲１▼，▲２▼，……の垂直信号線１２に与えられる画像信号として、ターゲット電圧Ｖｔに対して１Ｈごとに正極性Ｖｔ＋Ｖｓのアナログ画像信号Ｈ、負極性Ｖｔ−Ｖｓのアナログ画像信号Ｌが交互に印加される。ここに、Ｖｓは信号電圧である。
【００２５】
このとき、電荷再利用スイッチ１６の作用により、奇数列▲１▼，▲３▼，……の垂直信号線１２および偶数列▲２▼，▲４▼，……の垂直信号線１２の各電位が既にほぼターゲット電位Ｖｔに維持されていることから、奇数列▲１▼，▲３▼，……の垂直信号線１２には＋Ｖｓに相当する不足分の電荷量が交流駆動ビデオ増幅器２３側から供給され、偶数列▲２▼，▲４▼，……の垂直信号線１２からは−Ｖｓに相当する余分な電荷量が交流駆動ビデオ増幅器２３側へ引き抜かれることになる。
【００２６】
このように、隣り合う２本の垂直信号線１２，１２間に接続された電荷再利用スイッチ１６を画像信号の水平ブランキング期間にオン状態とし、電位の高い側の垂直信号線１２の電荷を、電位の低い側の垂直信号線１２に取り込んで当該垂直信号線１２の電位を上げるべく再利用し、各垂直信号線１２の電位をほぼターゲット電位Ｖｓとすることにより、垂直信号線１２を負極性Ｖｔ−Ｖｓの駆動から正極性Ｖｔ＋Ｖｓの駆動に移行する際に、垂直信号線１２の容量をＣｈとすると、交流駆動ビデオ増幅器２３側から垂直信号線１２へ供給する電荷量は、従来装置の場合には２Ｖｓ・Ｃｈであったのに対し、本実施形態に係る装置の場合には従来の半分のＶｃ・Ｃｈとなる。
【００２７】
また、隣り合う２本の垂直信号線１２，１２間に電荷再利用スイッチ１６を接続し、この隣り合う垂直信号線１２，１２間で電荷の再利用を行うようにした本実施形態に係る液晶ディスプレイの駆動装置は、例えば白黒テレビのように、隣接する画素間で画像信号に相関がある場合に有用なものとなる。すなわち、隣接する画素間で画像信号に相関があることにより、隣り合う垂直信号線１２，１２間での電荷の再利用によって両垂直信号線１２，１２の各電位が中間電位であるターゲット電位Ｖｔとなり、交流駆動ビデオ増幅器２３側からの電荷の供給が最低限で済むことになるからである。
【００２８】
図３は、本発明の他の実施形態を示す構成図である。図３において、液晶セル３１が行列状に多数配列されており、列単位の液晶セル３１の各一方の電極と各列の垂直信号線３２との間には、ＴＦＴ３３がスイッチング素子として接続されている。液晶セル３１の他方の電極には、ターゲット電圧Ｖｔが共通に印加される。行単位の液晶セル３１の各ゲートには、一端が垂直走査回路３４の各行の出力端に接続された垂直選択線３５が接続されている。垂直信号線３２の各々には、電荷再利用スイッチ３６の一端が接続されている。電荷再利用スイッチ３６の他端は共通に接続されている。
【００２９】
この電荷再利用スイッチ３６の制御入力端であるゲートには、画像信号の水平ブランキング期間に“Ｈ”レベルとなる制御パルスφＨが印加される。また、奇数列▲１▼，▲３▼，……の垂直信号線３２の各一端と水平信号線３７との間、および偶数列▲２▼，▲４▼，……の垂直信号線３２の各一端と水平信号線３８との間には水平選択スイッチ３９が接続されている。水平選択スイッチ３９の各ゲートは、水平走査回路４０の各列の出力端に接続されている。以上により、点順次駆動方式のＴＦＴ液晶パネル３０が構成されている。
【００３０】
一方、デジタル画像信号処理回路４１から出力されるデジタル画像信号は、Ｄ／Ａ変換器４２でアナログ画像信号に変換され、交流駆動ビデオ増幅器４３に供給される。この交流駆動ビデオ増幅器４３は、先の実施形態の場合と同様の回路構成となっており、これによりＤ／Ａ変換器４２からのアナログ画像信号を互いに逆相のアナログ画像信号Ｈ，Ｌとして出力する。
【００３１】
すなわち、Ｄ／Ａ変換器４２からのアナログ画像信号をベース入力とするトランジスタＱ２１と、このトランジスタＱ２１のベースと電源Ｖｃｃとの間に接続された抵抗Ｒ２１と、トランジスタＱ２１のコレクタと電源Ｖｐｐ間およびエミッタとグランド間にそれぞれ接続された抵抗Ｒ２２，Ｒ２３と、ベースがトランジスタＱ２１のコレクタに、コレクタが電源Ｖｐｐにそれぞれ接続されたトランジスタＱ２２と、ベースがトランジスタＱ２１のエミッタに、コレクタが電源Ｖｐｐにそれぞれ接続されたトランジスタＱ２３と、トランジスタＱ２２，Ｑ２３の各エミッタとグランド間にそれぞれ接続された電流源Ｉ２１，Ｉ２２とから構成されている。
【００３２】
そして、トランジスタＱ２２のエミッタ出力が一方のアナログ画像信号Ｈとして、トランジスタＱ２３のエミッタ出力が他方のアナログ画像信号Ｌとして導出される。一方のアナログ画像信号Ｈは、アナログスイッチ４４のａ入力およびアナログスイッチ４５のｂ入力となる。また、他方のアナログ画像信号Ｌは、アナログスイッチ４４のｂ入力およびアナログスイッチ４５のａ入力となる。これらアナログスイッチ４４，４５は、１Ｈごとに反転する選択パルスφｃによって切替え制御され、水平信号線４７，４８に対してアナログ画像信号Ｈ，Ｌを１Ｈごとに交互に与える。
【００３３】
本実施形態に係る液晶パネルの駆動装置の動作も、基本的には、先の実施形態に係る液晶パネルの駆動装置の動作と同じである。異なるのは、先の実施形態では、電荷再利用スイッチ１６が隣り合う２本ずつの垂直信号線１２，１２間に接続されているのに対し、本実施形態では、電荷再利用スイッチ３６が垂直信号線３２の各々に接続されており、これにより全ての垂直信号線３２，３２，……の間で電荷のやり取りが行われるようになっている点だけである。
【００３４】
このように、垂直信号線３２の各々に接続された電荷再利用スイッチ３６を画像信号の水平ブランキング期間にオン状態とし、全ての垂直信号線３２，３２，……間において、電位の高い垂直信号線側から電位の低い垂直信号線側へ電荷を取り込んでその電位を上げるべく再利用し、各垂直信号線３２の電位をほぼターゲット電位Ｖｓとすることにより、垂直信号線３２を負極性Ｖｔ−Ｖｓの駆動から正極性Ｖｔ＋Ｖｓの駆動に移行する際に、交流駆動ビデオ増幅器４３側から垂直信号線３２へ供給する電荷量を、先の実施形態の場合と同様に、従来の半分程度まで低減できる。
【００３５】
また、垂直信号線３２の各々に電荷再利用スイッチ３６を接続し、全ての垂直信号線３２，３２，……間で電荷の再利用を行うようにした本実施形態に係る液晶ディスプレイの駆動装置は、例えばカラーテレビのように、隣接する画素間で画像信号に相関がない場合に有用なものとなる。すなわち、隣接する画素間で画像信号に相関がなくても、ライン（行）単位で電荷の再利用を行って平均化することによって垂直信号線３２，３２の各電位が中間電位であるターゲット電位Ｖｔとなり、交流駆動ビデオ増幅器４３側からの電荷の供給が最低限で済むことになるからである。
【００３６】
なお、上記実施形態においては、スイッチング素子としてＴＦＴを用いた液晶パネルに適用した場合について説明したが、これに限定されるものではなく、他の素子を用いた液晶パネルにも同様に適用し得るものである。
【００３７】
また、上記各実施形態では、点順次駆動方式の液晶パネルに適用した場合について説明したが、本発明は、アモルファスシリコンＴＦＴやポリシリコンＴＦＴをスイッチング素子として用いた場合に良く使われる線順次駆動方式の液晶パネルにも同様に適用可能である。
【００３８】
図４は、本発明の一実施形態を線順次駆動方式の液晶パネルに適用した場合の適用例を示す構成図である。図４において、液晶セル５１が行列状に多数配列されており、列単位の液晶セル５１の各一方の電極と各列ごとの垂直信号線５２との間には、例えばアモルファスシリコンＴＦＴ５３がスイッチング素子として接続されている。液晶セル５１の他方の電極には、ターゲット電圧Ｖｔが共通に印加される。行単位の液晶セル５１の各ゲートには、一端が垂直走査回路５４の各行の出力端に接続された垂直選択線５５が接続されている。
【００３９】
隣り合う２本ずつの垂直信号線５２，５２間には、電荷再利用スイッチ５６が接続されている。この電荷再利用スイッチ８６の制御入力端であるゲートには、インバータ５７で反転されることで画像信号の水平ブランキング期間に“Ｈ”レベルとなる制御パルスφＨが印加される。各列▲１▼，▲２▼，……垂直信号線５２の一端は、アナログ・バッファ５８およびサンプルホールド回路５９を介して水平走査回路６０の各列の出力端に接続されている。
【００４０】
一方、デジタル画像信号処理回路６１から出力されるデジタル画像信号は、Ｄ／Ａ変換器６２でアナログ画像信号に変換され、交流駆動ビデオ増幅器６３に供給される。この交流駆動ビデオ増幅器６３は、図１の一実施形態の場合と同様の回路構成となっており、Ｄ／Ａ変換器６２からのアナログ画像信号を互いに逆相のアナログ画像信号Ｈ，Ｌとして出力する。
【００４１】
すなわち、Ｄ／Ａ変換器６２からのアナログ画像信号をベース入力とするトランジスタＱ３１と、このトランジスタＱ３１のベースと電源Ｖｃｃとの間に接続された抵抗Ｒ３１と、トランジスタＱ３１のコレクタと電源Ｖｐｐ間およびエミッタとグランド間にそれぞれ接続された抵抗Ｒ３２，Ｒ３３と、ベースがトランジスタＱ３１のコレクタに、コレクタが電源Ｖｐｐにそれぞれ接続されたトランジスタＱ３２と、ベースがトランジスタＱ３１のエミッタに、コレクタが電源Ｖｐｐにそれぞれ接続されたトランジスタＱ３３と、トランジスタＱ３２，Ｑ３３の各エミッタとグランド間にそれぞれ接続された電流源Ｉ３１，Ｉ３２とから構成されている。
【００４２】
そして、トランジスタＱ３２のエミッタ出力が一方のアナログ画像信号Ｈとして、トランジスタＱ３３のエミッタ出力が他方のアナログ画像信号Ｌとして導出される。一方のアナログ画像信号Ｈは、アナログスイッチ６４のａ入力およびアナログスイッチ６５のｂ入力となる。また、他方のアナログ画像信号Ｌは、アナログスイッチ６４のｂ入力およびアナログスイッチ６５のａ入力となる。これらアナログスイッチ６４，６５は、１Ｈごとに反転する選択パルスφｃによって切替え制御され、サンプルホールド回路５９に対してアナログ画像信号Ｈ，Ｌを１Ｈごとに交互に与える。
【００４３】
サンプルホールド回路５９は、アナログスイッチ６４，６５から１Ｈごとに交互に与えられるアナログ画像信号Ｈ，Ｌを、水平走査回路６０から出力される各列の水平走査パルスφ１，φ２，φ３，……に同期してサンプルホールドする。こうして１列ごとに交互にサンプルホールドされたアナログ画像信号Ｈ，Ｌは、一旦アナログ・バッファ５９に１ライン（１行）分格納される。この１ライン分のアナログ画像信号Ｈ，Ｌは、制御パルスφＨのインバータ５７での反転前の信号がアナログ・バッファ５８にイネーブル信号として与えられることにより、各列▲１▼，▲２▼，▲３▼，……の垂直信号線５２に供給される。
【００４４】
以上により、アモルファスシリコンＴＦＴ５３をスイッチング素子として用いた線順次駆動方式の液晶パネルが構成される。この線順次駆動方式液晶パネルにおいても、隣り合う２本の垂直信号線５２，５２間に接続された電荷再利用スイッチ５６を画像信号の水平ブランキング期間にオン状態とし、垂直信号線５２，５２間で電荷の再利用を行い、各垂直信号線５２の電位をほぼターゲット電位Ｖｓとすることにより、垂直信号線５２を負極性Ｖｔ−Ｖｓの駆動から正極性Ｖｔ＋Ｖｓの駆動に移行する際に、交流駆動ビデオ増幅器６３側から垂直信号線５２へ供給する電荷量を、従来の半分程度まで低減できる。
【００４５】
なお、本適用例においては、線順次駆動方式の液晶パネルに対して本発明の一実施形態を適用した場合について説明したが、図３に示す本発明の他の実施形態についても同様に適用可能であることは勿論である。
【００４６】
【発明の効果】
以上説明したように、本発明によれば、隣り合う垂直信号線を１Ｈごとに逆相の画像信号で駆動する液晶ディスプレイの駆動装置において、各列の垂直信号線の各々に接続され、画像信号の水平ブランキング期間に他の垂直信号線から電荷を取り込む手段を設けたことにより、ある垂直信号線においてグランドに捨てるべき電荷が他の垂直信号線へ取り込まれることによってその垂直信号線の電位を上げるべく再利用され、次の駆動期間ではその垂直信号線に対して不足分の電荷だけを供給すれば良いため、垂直信号線の駆動電力が少なくて済み、低電力化が図れることになる。
【００４７】
また、供給電荷量を低減できることによって高速化できるため、高解像度化が図れるとともに、点順次駆動方式の液晶ディスプレイの場合には水平選択スイッチのチャネル幅を小さくでき、線順次駆動方式の液晶ディスプレイの場合にはアナログ・バッファのドライブ能力を低減できることになる。
【図面の簡単な説明】
【図１】本発明の一実施形態を示す構成図である。
【図２】本発明の一実施形態に係る動作説明のためのタイミング波形図である。
【図３】本発明の他の実施形態を示す構成図である。
【図４】本発明の一実施形態の適用例を示す構成図である。
【図５】従来例を示す構成図である。
【図６】従来例に係る動作説明のためのタイミング波形図である。
【符号の説明】
１０，３０  ＴＦＴ液晶パネル    １１，３１，５１  液晶セル
１２，３２，５２  垂直信号線    １３，３３，５３  ＴＦＴ
１４，３４，５４  垂直走査回路    １６，３６，５６  電荷再利用スイッチ
１９，３９  水平選択スイッチ    ２０，４０，６０  水平走査回路
２１，４１，６１  デジタル画像信号処理回路
２３，４３，６３  交流駆動ビデオ増幅器
２４，２５，４４，４５，６４，６５  アナログスイッチ
５８  アナログ・バッファ    ５９サンプルホールド回路
【図１】
0003586998.tif 000002
【図２】
0003586998.tif 000003
【図３】
0003586998.tif 000004
【図４】
0003586998.tif 000005
【図５】
0003586998.tif 000006
【図６】
0003586998.tif 000007